(57)【要約】【課題】透明板の振動を効果的に抑制し得るとともに、透明板の脱着が容易な遊技機を提供する。【解決手段】遊技機（例えばパチンコ機）は、遊技盤に形成された遊技部を前方側から覆う透明板（例えば前後一対のガラス板）を保持するための保持枠２０を有する。保持枠２０は、弾性を有する可撓性部材から形成される。また、保持枠２０は、透明板を固定して振動を抑制するための固定部材２５を備える。固定部材２５は、保持枠２０の上辺部に設けることが好ましい。また、固定部材２５は、遊技盤の前方に配設したスピーカ装置の近傍に設けることが好ましい。【選択図】          図１
2004159991.tif 000002
【特許請求の範囲】
【請求項１】
遊技盤に形成された遊技部を前方側から覆う透明板を保持するための保持枠を有する遊技機において、
前記保持枠は、弾性を有する可撓性部材から形成されるとともに、前記透明板を固定して振動を抑制するための固定部材を備えたことを特徴とする遊技機。
【請求項２】
前記固定部材は、前記保持枠の上辺部に設けられていることを特徴とする請求項１記載の遊技機。
【請求項３】
前記固定部材は、前記遊技盤の前方に配設したスピーカ装置の近傍に設けられていることを特徴とする請求項１記載の遊技機。
【発明の詳細な説明】
【０００１】
【発明の属する技術分野】
本発明は、パチンコ機やスロットマシン（パチスロ機を含む）等の遊技機に関し、詳しくは、遊技部を前方側から覆う透明板を保持するための保持枠を備えた遊技機に関するものである。
【０００２】
【従来の技術】
遊技機には、遊技者が遊技部を視認できるようにしつつ、遊技球が遊技部内から外に飛び出るのを防止するために、遊技部を前方側から覆うガラス板等の透明板が設けられている。従来の遊技機では、この透明板を保持するための方形枠状の保持枠を備え、この保持枠によって透明板を、その厚み方向に若干の遊びを持たせた状態で保持しているのが一般的であった。透明板を固定せず、遊びを持たせた状態で保持枠に保持させるこの方法は、透明板の組み付けや破損時の交換などが容易となる他、専用品ではない一般的な板ガラス等を透明板として利用できるなどの利点がある。
【０００３】
【発明が解決しようとする課題】
しかしながら、上述したようなタイプの遊技機においては、透明板に若干の遊びを持たせているために、透明板が振動することがあった。特に近年、遊技機の最前面に配置される装飾枠に、効果音を出力させるスピーカ装置を備えた遊技機が知られており、このようなタイプの遊技機においては、効果音を出力する際のスピーカ装置の振動が、装飾枠、保持枠等を介して透明板に伝わり、透明板が振動して「ビビリ音」と称される異音が発生することがあり、遊技者に不快感を抱かせるおそれがあった。
【０００４】
本発明は、上記事情に鑑みなされたもので、透明板の振動を効果的に抑制し得るとともに、透明板の脱着が容易な遊技機を提供することを目的とする。
【０００５】
【課題を解決するための手段】
本発明に係る遊技機は、上記目的を達成するため、遊技盤に形成された遊技部を前方側から覆う透明板を保持するための保持枠を有する遊技機において、
前記保持枠は、弾性を有する可撓性部材から形成されるとともに、前記透明板を固定して振動を抑制するための固定部材を備えたことを特徴とするものである。
【０００６】
また、前記固定部材は、前記保持枠の上辺部に設けることが好ましい。
【０００７】
また、前記固定部材は、前記遊技盤の前方に配設したスピーカ装置の近傍に設けることが好ましい。
【０００８】
【発明の実施の形態】
以下、図面に基づいて、本発明に係る遊技機の実施形態について説明する。なお、以下の説明では、代表的な弾球遊技機としてのパチンコ機に対して本発明を適用した例について説明を行なう。
【０００９】
＜パチンコ機の概略構成＞
図４、図５は、本発明の一実施形態に係るパチンコ機を示すもので、図４はパチンコ機の正面図、図５はパチンコ機の斜視図である。
【００１０】
本発明の一実施形態に係るパチンコ機１は、図４、図５に示すように、外枠２の上半部に開閉可能に取り付けられたフロントドア３を備えており、その下方には操作部４が設けられている。
操作部４には、遊技に使用するための遊技球を貯留するとともに賞として払い出される遊技球を受け入れるための上皿５と、上皿５からオーバーフローした遊技球を受け入れるための下皿６とが上下に並べて取り付けられている。また、下皿６の右側には遊技球の発射操作を行なうための発射ハンドル７が設けられ、下皿６の左側には灰皿８が設けられている。さらに、上皿５には、当該パチンコ機１における球貸操作等を行なうための操作パネル９が設けられている。
【００１１】
また、フロントドア３には、遊技部を前方側から覆うようにして透明板（図示せず）が取り付けられており、この透明板は保持枠（後に詳述する図１，図２参照）に保持されている。
【００１２】
さらに、フロントドア３には、遊技部の周囲前方に位置するようにして装飾枠１０が設けられており、装飾枠１０の上部には、左右一対のスピーカ装置１１が配設されている。
【００１３】
＜保持枠＞
次に、図１〜図３を参照して、本発明のポイントとなる透明板の保持枠について説明する。図１〜図３は本発明の一実施形態に係る遊技機に使用する透明板の保持枠を示すもので、図１は保持枠の分解斜視図、図２は保持枠の主要部を示す斜視図（ａ）および縦断面図（ｂ）、図３は保持枠を取り付けたフロントドアの背面図である。
【００１４】
保持枠２０は、前後２枚の透明板２１ａ，２１ｂ（図２（ｂ）参照）を、所定の間隔を保持しつつ遊技部の前方側に取り付けるための部材で、図１に示すように、上枠２２、下枠２３、および左右一対の横枠２４を備えており、左右の横枠２４と上枠２２との間に固定部材２５が取り付けられている。なお、透明板２１ａ，２１ｂは、一般的にはガラス板により形成される。
【００１５】
上枠２２には、その左右両端部に、横枠２４に取り付けるための断面逆Ｔ字状の係合突起２６がそれぞれ設けられており、長さ方向の途中には、後に詳述する固定部材２５の固定片を嵌合させるための嵌合部２７が左右一対設けられている。なお、嵌合部２７は、上枠２２の前後方向の径を小さくして形成されている。この上枠２２では、前側面に前側透明板２１ａの後面が当接し、後側面に後側透明板２１ｂの後面が当接するようになっている。
【００１６】
下枠２３には、遊技盤の前面側に位置するように、前側透明板２１ａの下辺を保持するための段部２８が設けられており、遊技盤の後面側に位置するように、後側透明板２１ｂの下辺を保持するための保持溝２９が設けられている。また、下枠２３の左右には、横枠２４に取り付けるための取付片３０が設けられており、取付片３０の先端には、ネジ孔３１が設けられている。
【００１７】
横枠２４には、遊技盤の後面側に位置するように、後側透明板２１ｂの横辺を保持するための保持溝３２が設けられている。また、横枠２４の側面の上部には、上枠２２の係合突起２６を係合させるための係合孔３３が設けられており、側面の下部には、下枠２３の取付片３０を挿入するための挿入孔３４が設けられている。また、横枠２４の上端部には、前後一対の支持片３５が設けられており、各支持片３５には、固定部材２５を回動可能に取り付けるための軸孔３６が設けられている。さらに、横枠２４の左右外側に向かって、保持枠２０をフロントドア３に取り付けるための複数のネジ孔３７を有する取付板部３８が設けられている。
この保持枠２０は、合成樹脂等のように弾性を有する可撓性部材により形成されている。
【００１８】
＜固定部材の構成＞
固定部材２５は、図１、図２に示すように、左右の横枠２４の上部に回動可能に取り付けられ、上枠２２の嵌合部２７に嵌合することにより前後一対の透明板２１ａ，２１ｂを固定するための部材である。
【００１９】
この固定部材２５には、横枠２４の上部に設けた一対の支持片３５，３５の間に挿入する基部３９と、基部３９から延設した本体部４０と、本体部４０の先端に設けられた操作部４１と、本体部４０の下部に設けられ、上枠２２の嵌合部２７に嵌合させるための前後一対の嵌合片４２と、本体部４０の後面側に設けられ、後側透明板２１ｂの上辺を保持するための保持部４３とが設けられている。また、基部３９の前後面には、横枠２４の支持片３５に設けた軸孔３６に回動可能に軸止するための回動軸４４がそれぞれ設けられている。
【００２０】
この固定部材２５は、保持枠２０と同様に、合成樹脂等のように弾性を有する可撓性部材により形成されている。これにより、透明板２１ａ，２１ｂを固定した際に透明板２１ａ，２１ｂへの密着性が高まり、スピーカ装置１１の振動等によるビビリ音の発生を効果的に防止することができる。
【００２１】
なお、操作部４１は、固定部材２５を上枠２２へ嵌合させた状態で操作部４１の先端と上枠２２の上面との間に隙間ができるように、傾斜して設けられている。これにより、固定部材２５により透明板２１ａ，２１ｂを固定した状態で、操作部４１の先端と上枠２２の上面との間に指を差し入れることができ、固定部材２５を容易に操作することが可能となる。
【００２２】
＜固定部材による透明板の固定方法＞
次に、図１〜図３を参照して、固定部材２５による透明板２１ａ，２１ｂの固定方法を説明する。
まず、保持枠２０の組み立ておよび保持枠２０への透明板２１ａ，２１ｂの取り付けを説明する。
【００２３】
保持枠２０を組み立てるには、図１に示すように、左右の横枠２４の下部に設けた挿入孔３４に対して下枠２３の取付片３０を挿入するとともに、左右の横枠２４の上部に設けた係合孔３３に対して上枠２２の係合突起２６を係合させる。そして、下枠２３の取付片３０に設けたネジ孔３１および横枠２４の取付板部３８に設けたネジ孔３７にネジ（図示せず）を挿通して、ネジの先端部をフロントドア３の背面側にねじ込むことにより、フロントドア３に対して保持枠２０を取り付けることができる（図３参照）。
【００２４】
この状態で、保持枠２０に透明板２１ａ，２１ｂを取り付ける。前側透明板２１ａは、保持枠２０とフロントドア３との間に挿入され、前側透明板２１ａの前面の周辺部がフロントドア３の後面により支持されるとともに、前側透明板２１ａの下片が下枠２３の段部２８により下側から支持される。後側透明板２１ｂは、左右の横枠２４および下枠２３に設けた保持溝２９，３２に挿入することにより支持される。
【００２５】
固定部材２５は、回動軸４４を回動支点として上枠２２へ向かって回動するように、左右の横枠２４の上部に取り付けられている。したがって、固定部材２５を下側へ向かって回動させると、一対の嵌合片４２，４２の間に上枠２２の嵌合部２７が嵌合するとともに、保持部４３により後側透明板２１ｂの上部を保持することができる。この状態では、前側透明板２１ａの上部前面がフロントドア３に押しつけられるとともに、前側透明板２１ａの上部後面が前側の保持部４３に押しつけられて固定される。また、後側透明板２１ｂの上部前面が後側の保持部４３に押しつけられるとともに、後側透明板２１ｂの上部後面が支持片３５により支持されて固定される。
【００２６】
一方、固定部材２５を上側へ向かって回動させると、固定部材２５による透明板２１ａ，２１ｂの固定を解除することができる。
【００２７】
＜遊技盤＞
次に、図４、図６を参照して、上述したパチンコ機１の他の構成部分を詳細に説明する。
【００２８】
フロントドア３の上部前面に取り付けられた遊技盤５０は、図４、図６に示すように、その表面に一対のガイドレール５１で囲まれた略円形の遊技部５２を備えており、遊技部５２内には、複数の障害釘や風車等の障害部材５３が配設されるとともに、複数の特別図柄を変動表示するための特別図柄表示装置として機能する画像表示装置５４と、２個の普通図柄表示ＬＥＤを有する普通図柄表示装置５５と、複数の入賞口と、いずれの入賞口にも入賞しなかった遊技球を遊技部５２内から排出するためのアウト口５６とが設けられている。
【００２９】
上記画像表示装置５４の周囲には、遊技盤５０の表面から立ち上がる枠体５７が設けられており、この枠体５７の下辺部分には、側方から飛び込んだ遊技球を一時滞留させ、その後この遊技球を後述する始動入賞口６２に流下させるステージ５８が設けられている。
【００３０】
＜入賞口＞
上記入賞口は、その機能によって複数種類に分かれており、遊技球が入賞したことを条件として所定数の賞球を排出するための一般入賞口５９と、遊技球が通過したことを条件として、普通図柄表示装置５５における普通図柄表示ＬＥＤの変動表示を開始させるための普通図柄始動口６０と、遊技球を受け入れ易い状態と、遊技球を受け入れ難い状態との間で切換可能な変動部材（以下、普通電動役物６１と称す）を有し、遊技球が入賞したことを条件として画像表示装置５４における特別図柄の変動表示を開始させるための始動入賞口６２と、遊技球を受け入れ易い状態と、遊技球を受け入れ難い状態との間で切換可能となっており、画像表示装置５４における図柄の停止表示態様が所定の賞態様を構成した場合に、所定時間および所定回数だけ遊技球を受け入れ易い状態に切り換えられる大入賞口６３とからなる。
【００３１】
＜普通図柄始動口＞
上記普通図柄始動口６０は、始動入賞口６２の左上方に設けられており、通過する遊技球を検出するようになっている。この普通図柄始動口６０の通過球は、４個まで記憶可能となっており、この入賞記憶に基づいて、普通図柄表示装置５５における図柄の変動表示が行なわれる。また、画像表示装置５４の右側上部には、普通図柄始動口６０の通過記憶個数を表示するための４個の普通図柄記憶ＬＥＤ６４が設けられている。この普通図柄記憶ＬＥＤ６４の点灯個数により、普通図柄始動口６０の通過記憶個数を表示することができる。
【００３２】
＜始動入賞口＞
上記始動入賞口６２の左右には、遊技球を受け入れ易い状態と、遊技球を受け入れ難い状態との間で切換可能ないわゆるチューリップ状の普通電動役物６１が設けられている。この普通電動役物６１は、通常の状態では遊技球を受け入れ難い状態となっており、普通図柄表示装置５５において「当たり」となった場合に、所定時間（例えば、０．３秒間）だけ遊技球を受け入れ易い状態に切り換えられる。
【００３３】
また、始動入賞口６２への入賞球は、４個まで記憶可能となっており、この入賞記憶に基づいて、画像表示装置５４における図柄の変動表示が行なわれる。また、画像表示装置５４の左右側下部には、始動入賞口６２への入賞記憶個数を表示するための４個の特別図柄記憶ＬＥＤ６５が設けられている。この特別図柄記憶ＬＥＤ６５の点灯個数により、始動入賞口６２への入賞記憶個数を表示することができる。
【００３４】
＜画像表示装置＞
上記画像表示装置５４は、遊技部５２のほぼ中央に設けられた液晶表示装置からなり、画像で表現される複数の特別図柄を変動表示するとともに、遊技状態に対応したアニメーション表示を行なうことにより、遊技演出を行なうことができるようになっている。
【００３５】
画像表示装置５４に表示される特別図柄は、例えば「０」「１」「２」・・・「９」「１０」「１１」等の数字からなり、停止表示された数字の組み合わせが「０」「０」「０」、「７」「７」「７」等のように３個とも同一の数字となった場合を「大当たり」として、一般遊技と比較して遊技者に有利な特別遊技を行なうことができる。
この特別遊技とは、例えば大入賞口６３を、所定時間および所定回数だけ遊技球を受け入れ易い状態に切り換えて、一般遊技よりも多くの遊技球を入賞させることにより、多くの賞球を獲得することができるような遊技である。
【００３６】
＜普通図柄表示装置＞
上記普通図柄表示装置５５は、画像表示装置５４の上方に設けられた赤色発光と緑色発光の２個の普通図柄表示ＬＥＤを備えている。この普通図柄表示装置５５では、２個の普通図柄表示ＬＥＤが赤、緑の発光色で交互に点滅するようになっており、２個の普通図柄表示ＬＥＤの点滅が終了して緑色で点灯した場合を「当たり」として、始動入賞口６２に設けられた普通電動役物６１を、所定時間だけ遊技球を受け入れ易い状態に切り換えて、始動入賞口６２に遊技球を入賞させ易くする。
【００３７】
なお、普通図柄表示装置５５は、上述した２個の普通図柄表示ＬＥＤを備えて構成する他に、例えば７セグメント表示器等により構成することもできる。この場合には、７セグメント表示器に表示する普通図柄として、例えば「０」「１」「２」・・・「７」「８」「９」等の数字を変動表示し、停止表示された数字が「３」あるいは「７」となった場合を「当たり」とする。
【００３８】
＜パチンコ機における遊技＞
上記パチンコ機１では、発射装置（図示せず）の発射ハンドル７を操作することにより、発射勢が調整された遊技球が遊技部５２内に弾発される。そして、遊技部５２内に発射された遊技球が、一般入賞口５９等に入賞すると、所定数（例えば１０個）の賞球を払い出す。
【００３９】
また、普通図柄始動口６０を遊技球が通過したことを条件として、普通図柄表示装置５５における普通図柄の変動表示を開始させる。そして、乱数を用いた抽選により、普通図柄表示装置５５における普通図柄表示ＬＥＤの停止表示態様を決定し、この決定に基づいて普通図柄表示ＬＥＤの変動表示を停止させる。
【００４０】
ここで、普通図柄表示装置５５における普通図柄表示ＬＥＤの停止表示態様が、「当たり」となると、始動入賞口６２に設けられた普通電動役物６１を所定時間（例えば、０．３秒間）だけ遊技球を受け入れ易い状態に切り換える。
【００４１】
また、始動入賞口６２に遊技球が入賞したことを条件として、画像表示装置５４における特別図柄の変動表示を開始させる。そして、乱数を用いた抽選により、画像表示装置５４における特別図柄の停止表示態様を決定し、この決定に基づいて特別図柄の変動表示を停止させる。
【００４２】
ここで、画像表示装置５４における特別図柄の停止表示態様が「大当たり」となると、大入賞口６３を所定時間（例えば３０秒）あるいは所定個数（例えば１０個）の入賞球を受け入れるまで開放する。また、大入賞口６３内には継続入賞口（図示せず）が設けられており、大入賞口６３内に入賞した遊技球が継続入賞口にも入賞すると、上述した大入賞口６３の開放が、所定回数（例えば１６回）に達するまで繰り返される。
【００４３】
＜他の実施形態＞
以上、本発明の一実施形態を説明したが、本発明は、このような態様に限定されるものではなく、種々の態様の変更が可能である。
【００４４】
上述した実施形態では、保持枠２０および固定部材２５を合成樹脂により形成しているが、保持枠２０および固定部材２５は、弾性を有する可撓性部材であればどのような部材を用いてもよく、例えば、ゴム、シリコン等、他の部材を用いることができる。
【００４５】
また、上述した実施形態では、固定部材２５を保持枠２０の上辺部の２箇所に設けているが、固定部材２５を設ける位置はこれに限られず、保持枠２０の四隅に設けてもよく、また、横枠２４に設けてもよい。
【００４６】
また、上述した実施形態では、フロントドア３の上部にスピーカ装置１１が設けられているため、固定部材２５を保持枠２０の上辺部に設けたが、保持枠２０の位置はスピーカ装置１１の配設位置に対応して変更することができる。
【００４７】
さらに、上述した実施形態では、スピーカ装置１１を備えたパチンコ機１を例にとって説明したが、本発明は、スピーカ装置１１を備えた雀球遊技機等の他の弾球遊技機やスロットマシン等のその他の遊技機や、スピーカ装置１１を備えていない一般的な遊技機にも適用することが可能である。
【００４８】
【発明の効果】
以上、詳細に説明したように本発明の遊技機は、弾性を有する可撓性部材により透明板を保持するための保持枠を形成するとともに、この保持枠に透明板を固定して振動を抑制するための固定部材を備えている。
【００４９】
したがって、保持枠に対して透明板が確実に固定されているので、スピーカ装置等から発生する振動が保持枠へ伝わったとしても、透明板の振動を効果的に抑制することができ、遊技者に不快感を与えるおそれがなくなる。
【００５０】
また、保持枠の上辺部に固定部材を設けることにより、保持枠を組み立てた状態で、上方から透明板を脱着することができ、遊技機の組立作業および透明板の交換作業等を容易に行うことが可能となる。
【００５１】
また、スピーカ装置の近傍に固定部材を設けることにより、スピーカ装置から発生する振動をより確実に抑制することができる。
【図面の簡単な説明】
【図１】本発明の一実施形態に係るパチンコ機に使用する保持枠の分解斜視図
【図２】本発明の一実施形態に係るパチンコ機に使用する保持枠の主要部を示す斜視図（ａ）および断面図（ｂ）
【図３】保持枠を取り付けたフロントドアの背面図
【図４】本発明の一実施形態に係るパチンコ機の正面図
【図５】本発明の一実施形態に係るパチンコ機の斜視図
【図６】本発明の一実施形態に係るパチンコ機に使用する遊技盤の正面図
【符号の説明】
１  パチンコ機
２  外枠
３  フロントドア
４  操作部
５  上皿
６  下皿
７  発射ハンドル
８  灰皿
９  操作パネル
１０  装飾枠
１１  スピーカ装置
２０  保持枠
２１ａ  前側透明板
２１ｂ  後側透明板
２２  上枠
２３  下枠
２４  横枠
２５  固定部材
２６  係合突起
２７  嵌合部
２８  段部
２９  下枠の保持溝
３０  取付片
３１  取付片のネジ孔
３２  横枠の保持溝
３３  係合孔
３４  挿入孔
３５  支持片
３６  軸孔
３７  取付板部のネジ孔
３８  取付板部
３９  基部
４０  本体部
４１  操作部
４２  嵌合片
４３  保持部
４４  回動軸
５０  遊技盤
５１  ガイドレール
５２  遊技部
５３  障害部材
５４  画像表示装置
５５  普通図柄表示装置
５６  アウト口
５７  枠体
５８  ステージ
５９  一般入賞口
６０  普通図柄始動口
６１  普通電動役物
６２  始動入賞口
６３  大入賞口
６４  普通図柄記憶ＬＥＤ
６５  特別図柄記憶ＬＥＤ
【図１】
2004159991.tif 000003
【図２】
2004159991.tif 000004
【図３】
2004159991.tif 000005
【図４】
2004159991.tif 000006
【図５】
2004159991.tif 000007
【図６】
2004159991.tif 000008